(57)【要約】【課題】特別な検出装置を使用しないで基地局の異常を検出するＰＨＳ電話装置を提供する。【解決手段】ＰＨＳ電話装置は、無線端末との間でＰＨＳ無線信号を送受信する複数のＣＳ１（ＣＳ−１〜ＣＳ−３）と、各ＣＳ１に接続される主装置２とを有する。各ＣＳ１は、ＰＨＳ無線信号を構成する無線フレーム内の下りスロットのうち、第１のスロットを用いて自ＣＳ１の制御チャネルを他ＣＳ１に送信し、下りスロットのうち第１のスロット以外の第２のスロットを用いて他ＣＳ１の制御チャネルを受信し、他ＣＳ１の制御チャネルの受信レベル値を含む受信情報を主装置２に報告する。主装置２は、報告された他ＣＳ１の制御チャネルの受信情報を解析して複数のＣＳ１のアンテナ異常、送信系異常、及び受信系異常を検出する。【選択図】  図１
2006174018.tif 000002
【特許請求の範囲】
【請求項１】
無線端末との間でＰＨＳ無線信号を送受信する複数の基地局と、各基地局に接続される主装置とを有するＰＨＳ電話装置において、
前記複数の基地局は、前記ＰＨＳ無線信号を構成する無線フレーム内の下りスロットのうち第１のスロットを用いて自基地局の制御チャネルを他基地局に送信する送信手段と、前記下りスロットのうち前記第１のスロット以外の第２のスロットを用いて前記他基地局の制御チャネルを受信する受信手段と、前記他基地局の制御チャネルの受信レベル値を含む受信情報を前記主装置に報告する手段とを有し、
前記主装置は、前記複数の基地局から報告された前記他基地局の制御チャネルの受信情報を解析して前記複数の基地局の送受信状態の異常を通知可能に検出する異常検出手段を有することを特徴とするＰＨＳ電話装置。
【請求項２】
前記異常検出手段は、前記他基地局が受信した対象基地局の制御チャネルの受信レベル値が予め設定された異常判断用の閾値よりも低く、且つ、前記対象基地局が受信した前記他基地局の制御チャネルの受信レベル値が予め設定された異常判断用の閾値よりも低いとき、前記対象基地局のアンテナ異常を通知することを特徴とする請求項１記載のＰＨＳ電話装置。
【請求項３】
前記異常検出手段は、前記他基地局が受信した対象基地局の制御チャネルの受信レベル値が予め設定された異常判断用の閾値よりも低く、且つ、前記対象基地局が受信した前記他基地局の制御チャネルの受信レベル値が予め設定された異常判断用の閾値以上であるとき、前記対象基地局の送信系異常を通知することを特徴とする請求項１記載のＰＨＳ電話装置。
【請求項４】
前記異常検出手段は、前記他基地局が受信した対象基地局の制御チャネルの受信レベル値が予め設定された異常判断用の閾値以上であり、且つ、前記対象基地局が受信した前記他基地局の制御チャネルの受信レベル値が予め設定された異常判断用の閾値よりも低いとき、前記対象基地局の受信系異常を通知することを特徴とする請求項１記載のＰＨＳ電話装置。
【請求項５】
前記第１及び第２のスロットは、前記下りスロットの絶対スロット位置及び相対スロット位置の少なくとも一方が互いに異なることを特徴とする請求項１から４のいずれか１項に記載のＰＨＳ電話装置。
【請求項６】
無線端末との間でＰＨＳ無線信号を送受信する複数の基地局と、各基地局に接続される主装置とを有するＰＨＳ電話装置で用いる基地局の異常検出方法において、
前記複数の基地局が、前記ＰＨＳ無線信号を構成する無線フレーム内の下りスロットのうち、第１のスロットを用いて自基地局の制御チャネルを他基地局に送信するステップと、
前記複数の基地局が、前記下りスロットのうち前記第１のスロット以外の第２のスロットを用いて前記他基地局の制御チャネルを受信するステップと、
前記複数の基地局が、前記他基地局の制御チャネルの受信レベル値を含む受信情報を前記主装置に報告するステップと、
前記主装置が、前記複数の基地局から報告された前記他基地局の制御チャネルの受信情報を解析して前記複数の基地局の送受信状態の異常を通知可能に検出する異常検出ステップとを有することを特徴とするＰＨＳ電話装置で用いる基地局の異常検出方法。
【請求項７】
前記異常検出ステップは、前記他基地局が受信した対象基地局の制御チャネルの受信レベル値が予め設定された異常判断用の閾値よりも低く、且つ、前記対象基地局が受信した前記他基地局の制御チャネルの受信レベル値が予め設定された異常判断用の閾値よりも低いとき、前記対象基地局のアンテナ異常を通知することを特徴とする請求項６記載のＰＨＳ電話装置で用いる基地局の異常検出方法。
【請求項８】
前記異常検出ステップは、前記他基地局が受信した対象基地局の制御チャネルの受信レベル値が予め設定された異常判断用の閾値よりも低く、且つ、前記対象基地局が受信した前記他基地局の制御チャネルの受信レベル値が予め設定された正常／異常判断用の閾値以上であるとき、前記対象基地局の送信系異常を通知することを特徴とする請求項６記載のＰＨＳ電話装置で用いる基地局の異常検出方法。
【請求項９】
前記異常検出ステップは、前記他基地局が受信した対象基地局の制御チャネルの受信レベル値が予め設定された異常判断用の閾値以上であり、且つ、前記対象基地局が受信した前記他基地局の制御チャネルの受信レベル値が予め設定された異常判断用の閾値よりも低いとき、前記対象基地局の受信系異常を通知することを特徴とする請求項６記載のＰＨＳ電話装置で用いる基地局の異常検出方法。
【請求項１０】
前記第１及び第２のスロットは、前記下りスロットの絶対スロット位置及び相対スロット位置の少なくとも一方が互いに異なることを特徴とする請求項６から９のいずれか１項に記載のＰＨＳ電話装置で用いる基地局の異常検出方法。
【発明の詳細な説明】
【技術分野】
【０００１】
本発明は、ＰＨＳ電話装置及びこれで用いる基地局の異常検出方法に係り、特に基地局のアンテナ、送信系、及び受信系の異常検出に関する。
【背景技術】
【０００２】
従来、自営用簡易型携帯電話装置であるＰＨＳ（Personal Handyphone System）電話装置の基地局（以下、「ＣＳ（Cell Station：セルステーション）」と呼ぶ）では、送信機出力とアンテナ間に方向性結合器を設け、アンテナからの反射電力を計測してアンテナの異常を検出する方式が知られている。その方式の一例を図１１に示す。
【０００３】
図１１に示すＣＳは、送信機１００の出力電力を方向性結合器１０１を介してアンテナ１０２から放射する際に、アンテナ１０２から放射されずに反射してくる反射電力を方向性結合器１０１を介してパワーメータ１（１０３）に送り、これによりアンテナ１０２からの反射電力のみを分離して測定する一方、送信機１００の出力電力を方向性結合器１０１を介してパワーメータ２（１０４）に送り、これにより送信機１００の出力電力のみを分離して測定する。次いで、パワーメータ１（１０３）により測定されたアンテナ１０２からの反射電力値と、パワーメータ２（１０４）により測定された送信機１００の出力電力値とを、図示しない判定器（信号処理装置）に送り、これにより両電力値を互いに比較し、比較結果が予め設定された閾値を超えた場合は、アンテナ１０２に異常が生じていると判定する。このようにして、ＣＳのアンテナ１０２部分の異常を検出可能となっている。
【０００４】
なお、本発明に関連する先行技術文献としては、以下のものがある。
【特許文献１】特開２００２−１２５２５９号公報
【特許文献２】特開平０６−１５３２５８号公報
【発明の開示】
【発明が解決しようとする課題】
【０００５】
従来例のＣＳでは、ＣＳの異常を検出するためには、これを検出するための付加装置をＣＳに内蔵して監視しなければならず、これはＣＳの構成上本来の機能には不要な装置であり、このような装置を異常検出のためのみに追加することは、特にコストダウンの面で不利であった。即ち、ＣＳのコストダウンを図るためには、このような特別な検出装置を使用しないでＣＳの異常を検出する方法が求められていた。
【０００６】
本発明は、このような従来の事情を考慮してなされたもので、特別な検出装置を使用しないで基地局の異常を検出するＰＨＳ電話装置を提供することを目的とする。
【課題を解決するための手段】
【０００７】
上記目的を達成するため、本発明に係るＰＨＳ電話装置は、無線端末との間でＰＨＳ無線信号を送受信する複数の基地局と、各基地局に接続される主装置とを有するＰＨＳ電話装置において、前記複数の基地局は、前記ＰＨＳ無線信号を構成する無線フレーム内の下りスロットのうち第１のスロットを用いて自基地局の制御チャネルを他基地局に送信する送信手段と、前記下りスロットのうち前記第１のスロット以外の第２のスロットを用いて前記他基地局の制御チャネルを受信する受信手段と、前記他基地局の制御チャネルの受信レベル値を含む受信情報を前記主装置に報告する手段とを有し、前記主装置は、前記複数の基地局から報告された前記他基地局の制御チャネルの受信情報を解析して前記複数の基地局の送受信状態の異常を通知可能に検出する異常検出手段を有することを特徴とする。
【０００８】
本発明において、前記異常検出手段は、前記他基地局が受信した対象基地局の制御チャネルの受信レベル値が予め設定された異常判断用の閾値よりも低く、且つ、前記対象基地局が受信した前記他基地局の制御チャネルの受信レベル値が予め設定された異常判断用の閾値よりも低いとき、前記対象基地局のアンテナ異常を通知することが可能である。
【０００９】
本発明において、前記異常検出手段は、前記他基地局が受信した対象基地局の制御チャネルの受信レベル値が予め設定された異常判断用の閾値よりも低く、且つ、前記対象基地局が受信した前記他基地局の制御チャネルの受信レベル値が予め設定された異常判断用の閾値以上であるとき、前記対象基地局の送信系異常を通知することが可能である。
【００１０】
本発明において、前記異常検出手段は、前記他基地局が受信した対象基地局の制御チャネルの受信レベル値が予め設定された異常判断用の閾値以上であり、且つ、前記対象基地局が受信した前記他基地局の制御チャネルの受信レベル値が予め設定された異常判断用の閾値よりも低いとき、前記対象基地局の受信系異常を通知することが可能である。
【００１１】
本発明に係るＰＨＳ電話装置で用いる基地局の異常検出方法は、無線端末との間でＰＨＳ無線信号を送受信する複数の基地局と、各基地局に接続される主装置とを有するＰＨＳ電話装置の基地局の異常検出方法において、前記複数の基地局が、前記ＰＨＳ無線信号を構成する無線フレーム内の下りスロットのうち、第１のスロットを用いて自基地局の制御チャネルを他基地局に送信するステップと、前記複数の基地局が、前記下りスロットのうち前記第１のスロット以外の第２のスロットを用いて前記他基地局の制御チャネルを受信するステップと、前記複数の基地局が、前記他基地局の制御チャネルの受信レベル値を含む受信情報を前記主装置に報告するステップと、前記主装置が、前記複数の基地局から報告された前記他基地局の制御チャネルの受信情報を解析して前記複数の基地局の送受信状態の異常を通知可能に検出する異常検出ステップとを有することを特徴とする。
【００１２】
本発明において、前記異常検出ステップは、前記他基地局が受信した対象基地局の制御チャネルの受信レベル値が予め設定された異常判断用の閾値よりも低く、且つ、前記対象基地局が受信した前記他基地局の制御チャネルの受信レベル値が予め設定された異常判断用の閾値よりも低いとき、前記対象基地局のアンテナ異常を通知することが可能である。
【００１３】
本発明において、前記異常検出ステップは、前記他基地局が受信した対象基地局の制御チャネルの受信レベル値が予め設定された異常判断用の閾値よりも低く、且つ、前記対象基地局が受信した前記他基地局の制御チャネルの受信レベル値が予め設定された正常／異常判断用の閾値以上であるとき、前記対象基地局の送信系異常を通知することが可能である。
【００１４】
本発明において、前記異常検出ステップは、前記他基地局が受信した対象基地局の制御チャネルの受信レベル値が予め設定された異常判断用の閾値以上であり、且つ、前記対象基地局が受信した前記他基地局の制御チャネルの受信レベル値が予め設定された異常判断用の閾値よりも低いとき、前記対象基地局の受信系異常を通知することが可能である。
【発明の効果】
【００１５】
本発明によれば、特別な検出装置を使用しないで基地局の異常を検出するＰＨＳ電話装置を提供することができる。
【発明を実施するための最良の形態】
【００１６】
次に、本発明に係るＰＨＳ電話装置及びその基地局の異常検出方法を実施するための最良の形態について図面を参照して詳細に説明する。
【００１７】
本実施形態のＰＨＳ電話装置は、ＣＳ同士の受信情報からＣＳのアンテナ、受信機（受信系）、及び送信機（送信系）の状態を判定してその結果を通知するものである。例えば、ＣＳが通常有している送受信機能を利用して、ＣＳが互いの制御チャネルを受信し、その結果に基づきＣＳが正常に動作しているか、あるいは何らかの異常が発生しているか判定し、通知する。
【００１８】
図１は、本実施形態のＰＨＳ電話装置の全体構成を示す。
【００１９】
図１に示すＰＨＳ電話装置は、図示しないＰＨＳ端末との間で無線通信を行う複数（図中の例では３つ）のＰＨＳ基地局であるＣＳ−１〜ＣＳ−３（以下、必要に応じて「ＣＳ１」と総称する）と、これらＣＳ１に接続される主装置２とを備えている。
【００２０】
ＣＳ１は、主装置２により互いのＰＨＳ無線信号のフレーム同期が取れる構成となっており、図示しないＰＨＳ端末との間で無線信号を送受信する既知の機能のほか、それぞれ自ＣＳ１が相互に他ＣＳ１の送信信号を受信する機能を有している。
【００２１】
図２は、ＣＳ１の内部構成例を示す。図２の例では、ＣＳ１は、ＰＨＳ無線信号が送受信されるアンテナ１１と、このアンテナ１１に接続されるアンテナ共用器１２と、このアンテナ共用器１２に接続されるＰＨＳ無線信号用の送信系（パワーアンプ、変調器等）１３及び受信系（復調器等）１４と、両系１３、１４に接続され且つ主装置２との間で通信可能に接続される通信用のＩ／Ｆ（インターフェース）１５と、これら要素１１〜１５の動作を制御するコントローラ（制御部）１６とを有する。これら各要素１１〜１６については既知構成のものが適用可能である。
【００２２】
ここで、図３〜図５を参照して、ＣＳ１が互いの制御チャネル（以下、「制御ｃｈ」と簡略する）を送受信させる方法を説明する。
【００２３】
図３は、ＣＳ１から送信されるＰＨＳ無線信号の無線フレームのフレームフォーマット及びその制御ｃｈの送信タイミングを示す。図３に示すように、ＰＨＳ無線信号の無線フレームは、１つのフレームが４つの下りスロットと４つの上りスロットとから構成されている。ここで、「下り」とは、ＣＳ１からＰＨＳ端末方向への送信を、また「上り」とは、ＰＨＳ端末からＣＳ１方向への送信をそれぞれ示す。
【００２４】
図３に示すＰＨＳ無線信号の無線フレームでは、制御ｃｈには、ＰＨＳ電話装置（システム）で決まったキャリア番号が使用されるが、複数のＣＳ１で共用しなければならないため、絶対スロットと相対スロットの２つの時分割多重方式を用いている。絶対スロットは、１つのフレーム内のスロット位置を絶対的に区別するもので、図３の例では絶対スロット番号「１」〜「４」のスロットに対応している。相対スロットは、複数のフレーム同士のスロット位置を相対的に区別するもので、図３の例では相対スロット番号「１」〜「３」のスロットに対応している。
【００２５】
本実施例のＣＳ１では、ＰＨＳ無線信号を構成する無線フレーム内の下りスロットのうち、相対スロット及び絶対スロットで割り当てられた所定のスロットを用いて自ＣＳ１の制御ｃｈを他ＣＳ１に送信する。この送信は、ＣＳ１内の送信系１３により行われる。
【００２６】
図３の例では、ＣＳ−１は、下りスロットのうち、絶対スロット番号「２」及び相対スロット番号「１」に対応するスロットを用いてそのスロット位置のタイミングで自ＣＳ−１の制御チャネル（以下、「制御ｃｈ」と簡略する）を送信している。同様に、ＣＳ−２は、下りスロットのうち、絶対スロット番号「２」及び相対スロット番号「３」に対応するスロットを用いてそのスロット位置のタイミングで自ＣＳ−２の制御ｃｈを送信している。また、ＣＳ−３は、下りスロットのうち、絶対スロット番号「４」及び相対スロット番号「１」に対応するスロットを用いてそのスロット位置のタイミングで自ＣＳ−３の制御ｃｈを送信している。
【００２７】
図４は、上記のように送信されてくる他ＣＳ１（図中の例ではＣＳ−２、ＣＳ−３）の制御ｃｈを自ＣＳ１（図中の例ではＣＳ−１）で受信する場合の受信タイミングを説明するものである。
【００２８】
ＣＳ−１は、自身の制御ｃｈを送信するスロット以外の他の相対スロット番号のスロット位置（図３の例では相対スロット番号「１」以外のスロット位置）では送信を行わないため、このスロット位置のタイミングでは他ＣＳ１の制御ｃｈを受信することが可能である。本例では、これを利用して、ＣＳ−１は、受信系１４の動作により、図４に示すように相対スロット番号「３」のスロットを用いてそのスロット位置のタイミングで他ＣＳ１であるＣＳ−２の制御ｃｈを受信する。
【００２９】
また、ＣＳ−１は、制御ｃｈを送信するスロット以外の絶対スロット番号のスロット位置（図３の例では絶対スロット番号「２」以外のスロット位置）では、ＰＨＳ端末との通信に使用していない状況下では送信しないので、このスロット位置のタイミングでも上記と同様に他ＣＳ１の制御ｃｈを受信することが可能である。本例では、これを利用して、ＣＳ−１は、受信系１４の動作により、図４に示すように絶対スロット番号「４」のスロットを用いてそのスロット位置のタイミングで他ＣＳ１であるＣＳ−３の制御ｃｈを受信する。
【００３０】
上記のようにＣＳ１にて受信された他ＣＳ１の制御ｃｈの受信情報は、受信系１４からＩ／Ｆ１５経由で主装置２に報告される。
【００３１】
図５は、ＣＳ−１から報告される制御ｃｈの受信情報の例を示す。図５の例では、他ＣＳ１の制御ｃｈの受信情報として、ＣＳ−２及びＣＳ−３からの制御ｃｈの受信レベル値、絶対スロット番号、及び相対スロット番号が含まれている。制御ｃｈの受信レベルは、ＣＳ１の受信系１４により測定可能となっている。
【００３２】
図６は、主装置２の内部構成例を示す。図６の例では、主装置２は、各ＣＳ１に通信可能に接続される通信用のＩ／Ｆ（インターフェース）２１と、Ｉ／Ｆ２１に接続される記憶装置２２と、記憶装置２２の記憶データを基に予めＲＯＭ（Read Only Memory）等のメモリ（図示しない）内に設定された解析プログラムに従い演算処理を行う演算装置（ＣＰＵ）２３と、演算装置２３による演算結果を出力する出力器２４と、これら要素２１〜２３の動作を制御するコントローラ（制御部）２５と、コントローラ２５に操作者からの指令を与えるための入力器２６とを有する。これら各要素２１〜２６については既知構成のものが適用可能である。
【００３３】
次に、主装置２の処理例について、図６〜図１０を参照して説明する。
【００３４】
図７は、主装置２内のコントローラ２５により実行される制御プログラムの概略フローチャートである。ここでの制御プログラムは、例えばコントローラ２５内のＲＯＭ（Read Only Memory）等のメモリ（図示しない）内に格納されている。
【００３５】
図７において、主装置２は、各ＣＳ１から報告された他ＣＳ１の制御ｃｈの受信情報（受信レベル、絶対スロット番号、相対スロット番号）をＩ／Ｆ２１経由で受信すると、これを内部の記憶装置２２に格納し（ステップＳｔ１）、これを用いて、図８〜図１０の例に示すような各ＣＳ１からの他のＣＳ１の制御ｃｈの受信情報の報告と、各ＣＳ１の制御ｃｈの受信レベル値とを関連付けた比較表２２ａを作成し（ステップＳｔ２）、作成した比較表２２ａのデータを使用して、内部の演算装置２３にて解析プログラムによる解析処理を開始する（ステップＳｔ３）。
【００３６】
この解析処理に際し、まず、各ＣＳのうち解析対象とするＣＳ（以下、「対象ＣＳ」）１とそれ以外のＣＳ（以下、「他ＣＳ」）１とに関して、他ＣＳ１が受信した対象ＣＳ１の制御ｃｈの受信レベルが、予めメモリ内に設定された正常／異常判断用の閾値よりも低いかどうか判断し（ステップＳｔ４）、ＹＥＳ（受信レベルが閾値より低い）の場合は、対象ＣＳ１が受信した他ＣＳ１の制御ｃｈの受信レベルが予めメモリ内に設定された正常／異常判断用の閾値よりも低いかどうか判断し（ステップＳｔ５）、ＹＥＳ（受信レベルが閾値より高い）の場合は、対象ＣＳ１のアンテナ１１が異常である旨を出力器２４を介して通知する（ステップＳｔ６）。ここで、正常／異常判断用の閾値については、当初はデフォルト値を使用し、その後に適宜変更してもよい。閾値の変更操作は、例えば入力器２６を通じて操作者から与えられる指令に応じて行う等、既知の方法が適用可能である。
【００３７】
図８に示す比較表２２ａの例では、他ＣＳ１であるＣＳ−１及びＣＳ−２が対象ＣＳ１であるＣＳ−３の制御ｃｈを受信した受信レベルと、対象ＣＳ１であるＣＳ−３が受信した他ＣＳ１であるＣＳ−１及びＣＳ−２の制御ｃｈの受信レベルとの双方が閾値（例えば受信レベル値「６」）よりも低くなっている（図８中のＣＳ−１及びＣＳ−２からの報告によるＣＳ−３の制御ｃｈ受信レベル値「５」及び「３」と、ＣＳ−３からの報告によるＣＳ−１及びＣＳ−２の制御ｃｈ受信レベル値「２」及び「４」参照）。
【００３８】
この場合は、上記ステップＳｔ５にてＹＥＳと判断され、ＣＳ−３のアンテナ１１に異常があることが考えられるので、主装置２は、管理者に対して出力器２４を介してＣＳ−３の「アンテナ異常」の通知を行う。この通知方法については、管理用コンソールの表示画面上に表示する（この場合、出力器２４は管理用コンソールの表示器を含む）、電話システム管理会社のコンピュータシステムに異常を知らせる信号を送信する（この場合、出力器２４は電話システム管理会社のコンピュータシステムに通信回線を介して接続される通信装置を含む）等、通常の管理方法を用いることが可能である。
【００３９】
上記ステップＳｔ５でＮＯ（受信レベルが閾値以上）の場合は、対象ＣＳ１の送信系１３が異常である旨を出力器２４を介して通知する（ステップＳｔ７）。
【００４０】
図９に示す比較表２２ａの例では、他ＣＳ１であるＣＳ−１及びＣＳ−２が対象ＣＳ１であるＣＳ−３の制御ｃｈを受信した受信レベルのみが閾値（例えば受信レベル値「６」）よりも低くなっている（図９中のＣＳ−１及びＣＳ−２からの報告によるＣＳ−３の制御ｃｈ受信レベル値「５」及び「３」参照）。この場合は、上記ステップＳｔ７にてＹＥＳと判断され、ＣＳ−３の送信系１３の異常が考えられるので、主装置２は、管理者に対して出力器２４を介してＣＳ−３の「送信系異常」の通知を行う。この通知方法は上記と同様である。
【００４１】
上記ステップＳｔ４でＮＯ（受信レベルが閾値以上）の場合は、対象ＣＳが受信した他ＣＳの制御ｃｈの受信レベルが予め設定された正常／異常判断用の閾値よりも低いかどうか判断し（ステップＳｔ８）、ＹＥＳ（受信レベルが閾値以上）の場合は、対象ＣＳ１の受信系１４が異常である旨を出力器２４を介して通知する（ステップＳｔ９）。
【００４２】
図１０に示す比較表２２ａの例では、対象ＣＳ１であるＣＳ−３が受信した他ＣＳ１であるＣＳ−１及びＣＳ−２の制御ｃｈを受信した受信レベルのみが閾値（例えば受信レベル値「６」）よりも低くなっている（図１０中のＣＳ−３からの報告によるＣＳ−１及びＣＳ−２の制御ｃｈ受信レベル値「２」及び「４」参照）。この場合は、上記ステップＳｔ９にてＹＥＳと判断され、ＣＳ−３の受信系１４の異常が考えられるので、主装置２は、管理者に対して出力器２４を介してＣＳ−３の「受信系異常」の通知を行う。この通知方法は上記と同様である。
【００４３】
上記ステップＳｔ８でＮＯ（受信レベルが閾値以上）の場合は、対象ＣＳ１は異常なし（正常）と判定する（ステップＳｔ１０）。ＣＳ１が正常な場合は、管理者に通知されない。ただし、必要であれば、異常通知と同様に、その旨を出力器２４を介して管理者に知らせるようにしてもよい。
【００４４】
上記解析処理（ステップＳｔ３〜Ｓｔ１０）は、全てのＣＳ１の解析処理が終了するまで繰り返し実行する（ステップＳｔ１１）。
【００４５】
なお、各ＣＳの正常／異常の判断時期は、常時又は周期的等、如何様でも可能であるが、例えば一定間隔で各ＣＳが収集したデータを主装置に集め、データが集まったところで判断するようにしてもよい。
【００４６】
従って、本実施例によれば、各ＣＳで受信された互いの制御ｃｈの受信状態を比較することにより、特別な検出装置を使用しないでＣＳの異常を検出・通知することが可能となり、ＣＳを簡素に構築でき、ＣＳのコストダウンを図ることができる。
【００４７】
なお、上記実施例において、図２に示すＣＳ内の構成、図６に示す主装置内の構成、図７に示す主装置の動作フローチャート等はいずれも一例であり、本発明はこれに限定されるものではなく、本発明の趣旨に逸脱しない範囲で変形実施することが可能である。
【図面の簡単な説明】
【００４８】
【図１】本発明の実施例に係るＰＨＳ電話装置の全体構成を示す概略図である。
【図２】図１に示すＣＳ（ＰＨＳ基地局）の内部構成を示す概略ブロック図である。
【図３】ＰＨＳ無線信号のフレームフォーマット及び各ＣＳの送信タイミングを説明する図である。
【図４】ＣＳ−１の受信タイミングを説明する図である。
【図５】ＣＳ−１からの制御ｃｈの受信情報を説明する図である。
【図６】図１に示す主装置の内部構成を示す概略ブロック図である。
【図７】主装置の処理動作を説明する概略フローチャートである。
【図８】ＣＳ−３のアンテナ異常が通知される場合の各ＣＳからの制御ｃｈ受信情報の比較表を説明する図である。
【図９】ＣＳ−３の送信系異常が通知される場合の各ＣＳからの制御ｃｈ受信情報の比較表を説明する図である。
【図１０】ＣＳ−３の受信系異常が通知される場合の各ＣＳからの制御ｃｈ受信情報の比較表を説明する図である。
【図１１】従来例のＰＨＳ電話装置における基地局のアンテナ異常検出方式を説明する概略ブロック図である。
【符号の説明】
【００４９】
１  ＣＳ−１〜ＣＳ−３（ＰＨＳ基地局）
２  主装置
１１  アンテナ
１２  アンテナ共用器
１３  送信系
１４  受信系
１５  Ｉ／Ｆ（インターフェース）
１６  コントローラ
２１  Ｉ／Ｆ（インターフェース）
２２  記憶装置
２２ａ  比較表
２３  演算装置
２４  出力器
２５  コントローラ
２６  入力器
【図１】
2006174018.tif 000003
【図２】
2006174018.tif 000004
【図３】
2006174018.tif 000005
【図４】
2006174018.tif 000006
【図５】
2006174018.tif 000007
【図６】
2006174018.tif 000008
【図７】
2006174018.tif 000009
【図８】
2006174018.tif 000010
【図９】
2006174018.tif 000011
【図１０】
2006174018.tif 000012
【図１１】
2006174018.tif 000013